【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
ペン形状に形成されたペン本体を有し、電磁誘導作用により指示位置の検出を行うための電子ペンであって、
前記電子ペンは、前記ペン本体の長手方向の一方の端部に位置指示を行うためのペン先を備え、
前記ペン本体の長手方向の前記一方の端部側の所定位置に移設可能に配置され、位置検出を行うための前記電磁誘導作用に対して非干渉な材料からなる重心調整用部材を設けることで、
前記重心調整用部材の取付位置を調整することによって前記ペン本体の長手方向の重心位置を移動可能となすとともに、前記所定位置に配置された重心調整用部材の電磁誘導作用による位置検出に対する影響を排除するようにした、
ことを特徴とする電子ペン。
【請求項２】
前記ペン本体の長手方向の前記一方の端部側には所定形状の取付部が備えられており、前記重心調整用部材は前記取付部内において移設可能に取り付けられることを特徴とする、
請求項１に記載の電子ペン。
【請求項３】
前記取付部には、前記取付部に配置された前記重心調整用部材を位置規制するための規制部が設けられることで、前記重心調整用部材を前記取付部内で固定するようにしたことを特徴とする、
請求項２に記載の電子ペン。
【請求項４】
前記重心調整用部材は、重さ部材と、前記重さ部材よりも軽量の材料からなるダミー部材で構成され、前記重さ部材と前記ダミー部材が前記ペン本体の長手方向に対して所定の位置関係で配置されることを特徴とする、
請求項３に記載の電子ペン。
【請求項５】
カバー部材を備え、該カバー部材によって前記取付部に取り付けられた前記重心調整用部材が覆われるようにしたことを特徴とする、
請求項４に記載の電子ペン。
【請求項６】
前記重さ部材及び前記ダミー部材のそれぞれには貫通孔が備えられており、前記貫通孔によって、前記重さ部材と前記ダミー部材とが前記ペン本体の長手方向に対して所定の位置関係で前記取付部に配置されることを特徴とする、
請求項５に記載の電子ペン。
【請求項７】
前記ペン本体の長手方向の前記一方の端部側には所定形状の取付部とカバー部材が備えられており、前記重心調整用部材は前記カバー部材において移設可能に配置されるとともに前記取付部に取り付けられることを特徴とする、
請求項１に記載の電子ペン。
【手続補正２】
【補正対象書類名】明細書
【補正対象項目名】発明の名称
【補正方法】変更
【補正の内容】
【発明の名称】電子ペン
【手続補正３】
【補正対象書類名】明細書
【補正対象項目名】０００１
【補正方法】変更
【補正の内容】
【０００１】
本発明は、重さを調整可能な電子ペンに関するものである。
【手続補正４】
【補正対象書類名】明細書
【補正対象項目名】０００６
【補正方法】変更
【補正の内容】
【０００６】
そこで、本発明の目的は、入力ペンの重心の位置や自重をユーザの好みに応じて調整することにより、操作性を向上させることができる電子ペンを提供することである。
【手続補正５】
【補正対象書類名】明細書
【補正対象項目名】０００７
【補正方法】変更
【補正の内容】
【０００７】
上記目的を達成するために、本発明の電子ペンは、ペン形状に形成されたペン本体を有し、電磁誘導作用により指示位置の検出を行うための電子ペンであって、前記ペン本体の長手方向の一方の端部に位置指示を行うためのペン先を備え、ペン本体の長手方向の一方の端部側の所定位置に移設可能に配置され、位置検出を行うための電磁誘導作用に対して非干渉な材料からなる重心調整用部材が設けられる。そして、重心調整用部材の取付位置を調整することによってペン本体の長手方向の重心位置を移動可能となすとともに、所定位置に配置された重心調整用部材の電磁誘導作用による位置検出に対する影響を排除するようにした。
本発明の好ましい形態としては、ペン本体の長手方向の一方の端部側には所定形状の取付部が備えられており、重心調整用部材は取付部内において移設可能に取り付けられる。また、取付部には、取付部に配置された前記重心調整用部材を位置規制するための規制部が設けることで、重心調整用部材を取付部内で固定する。
【手続補正６】
【補正対象書類名】明細書
【補正対象項目名】０００８
【補正方法】変更
【補正の内容】
【０００８】
また、他の好ましい形態としては、重心調整用部材は、重さ部材と、前記重さ部材よりも軽量の材料からなるダミー部材で構成され、重さ部材とダミー部材がペン本体の長手方向に対して所定の位置関係で配置される。また、カバー部材を備え、このカバー部材によって取付部に取り付けられた重心調整用部材が覆われるようにする。また、重さ部材及びダミー部材のそれぞれには貫通孔が備えられており、貫通孔によって、重さ部材とダミー部材とがペン本体の長手方向に対して所定の位置関係で取付部に配置される。あるいは、ペン本体の長手方向の一方の端部側には所定形状の取付部とカバー部材が備えられており、重心調整用部材はカバー部材において移設可能に配置されるとともに取付部に取り付けられる構成としてもよい
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、重心調整部材により入力ペンの重心の位置や自重をユーザの好みに応じて調整することが可能となり、入力ペンの操作性を向上させることができる。
【手続補正９】
【補正対象書類名】明細書
【補正対象項目名】００１１
【補正方法】変更
【補正の内容】
【００１１】
以下、本発明の一実施の形態を、図１〜１１を参照して説明する。
まず、本実施の形態例の電子ペンの構成を図１に従って説明する。ここで、図１Ａは本実施の形態例の電子ペンの全体図、図１Ｂはその分解図である。
図１Ａに示すように、本実施の形態例の電子ペンは、ペン本体１と、重さ調整部材６と、ペングリップ７と、キャップ８とから構成される。ペン本体１は、図１Ｂに示すように、段部３と、ペン本体１の先端部分に設けられるペン先５と、ペン尾２とを備える。
段部３は、ペン本体１の全長（ペン尾２からペン先５まで）のほぼ中央部分に設けられ、その径方向の長さは、後述する重さ調整部材６の径方向の厚みと同じかそれ以上の長さを有している。
【手続補正１０】
【補正対象書類名】明細書
【補正対象項目名】００１５
【補正方法】変更
【補正の内容】
【００１５】
次に、本発明の実施形態例における電子ペンの組み立て方法を図２に従って説明する。なお、図２では重さ調整部材６にアルミ１１、ステンレス１２及びスペーサー１３を選択して装着する場合を例示している。
まず、使用者が所望する重量が得られる重さ調整部材６を一つ又は複数選択する。次いで、選択した重さ調整部材６のうち、最もペン本体１の中央部寄りに設けたい重さ調整部材６の貫通孔６ａにペン本体１の細径部４を差し込む。同様に、他の所望する重さ調整部材６も細径部４に順次、差し込んでいく。このとき、最初に細径部４に差し込まれた重さ調整部材６（スペーサー１３）は、ペン尾２側へ深く差し込んでも段部３に当たるので、重さ調整部材６は段部３によりペン尾２側へ移動しないように規制される。尚、この例では、スペーサー１３、ステンレス１２、アルミ１１の順で差し込んでいる。
【手続補正１１】
【補正対象書類名】明細書
【補正対象項目名】００５０
【補正方法】変更
【補正の内容】
【００５０】
【図１】本実施の形態例の電子ペンの構造を示す説明図であり、図１Ａは全体図、図１Ｂは分解図である。
【図２】筒状の重さ調整部材の装着方法の説明図である。
【図３】重心をペン先に移動させる調整例を示す図であり、図３Ａは調整例１、図３Ｂは重心及び重さである。
【図４】重心をペン先に移動させつつ重いペンにする調整例を示す図であり、図４Ａは調整例２、図４Ｂは重心及び重さである。
【図５】重心の移動及び重さ調整をしない調整例を示す図であり、図５Ａは調整例３、図５Ｂは重心及び重さである。
【図６】巻付型の重さ調整部材の装着状態を示す図である。
【図７】嵌込型の重さ調整部材の装着状態を示す図である。
【図８】内部の重さ調整部材と一体化したペングリップの例を示す図である。
【図９】外部の重さ調整部材と一体化したペングリップの例を示す図である。
【図１０】筒状空胴に液状又は粒状の重さ調整部材を充填したペングリップの例を示す図である。
【図１１】複数の筒状空胴に液状又は粒状の重さ調整部材を充填したペングリップの例を示す図である。